(57)【要約】【課題】携帯型として使い勝手がよく、受信性能も良好な高周波受信装置を得る。【解決手段】筐体１１を前部筐体１１ａと後部筐体１１ｂに分割し、内部に選局部２７と、復調部３０、デスクランブル部３１、ＭＰＥＧデコーダ３２及び映像／音声信号処理部３３とを、シールドケース２２で覆う。また、ループ状のものポールアンテナ２６を筐体１１の内壁に沿うように這わせるかあるいは壁内に埋め込むように配置する。さらに、アンテナをＶＨＦ用４３とＵＨＦ用４４の両方を備え、使用するアンテナに合わせて整合回路４８を選局部４５とアンテナコネクタ４６との間に挿入する。【選択図】      図２
2004180209.tif 000002
【特許請求の範囲】
【請求項１】
筐体内に配置され、高周波信号を受信し、受信した高周波信号から映像信号、音声信号あるいはデータ信号のいずれか、もしくはそれらの複数の信号を得て出力する受信手段と、
前記筐体に沿うように配置され、前記高周波を受けて前記受信手段に供給するループ状モノポールアンテナと、
を具備したことを特徴とする高周波受信装置。
【請求項２】
前記モノポールアンテナは、前記筐体を略一周する長さを有することを特徴とする請求項１に記載の高周波受信装置。
【請求項３】
前記高周波信号は、異なる複数の周波数帯域の信号からなり、前記アンテナと受信手段の間に前記周波数帯域に応じて切換えられる整合回路が設けられていることを特徴とする請求項１または２に記載の高周波受信装置。
【請求項４】
前記高周波信号は、ＶＨＦ帯の信号とＵＨＦ帯の信号からなり、前記整合回路がＶＨＦ低バンド用として直列インダクタンスを備えることを特徴とする請求項３に記載の高周波受信装置。
【請求項５】
筐体内に配置され、複数の周波数帯の高周波信号を選択受信し、受信した高周波信号から映像信号、音声信号あるいはデータ信号のいずれか、もしくはそれらの複数の信号を得て出力する受信手段と、前記筐体に沿うようにそれぞれ配置され、前記それぞれの周波数帯の高周波信号を受けて前記受信手段に供給する、周波数帯に対応した異なる長さを有する複数のループ状モノポールアンテナと、
前記受信手段によって受信される帯域に応じて前記複数のアンテナを択一的に切換える切換手段と、
を具備したことを特徴とする高周波受信装置。
【請求項６】
前記周波数帯は、ＶＨＦ帯とＵＨＦ帯であることを特徴とする請求項５に記載の高周波受信装置。
【請求項７】
筐体内に配置され、高周波信号を受信し、受信した高周波信号から映像信号、音声信号あるいはデータ信号のいずれか、もしくはそれらの複数の信号を得て出力する受信手段と、
前記筐体に沿うように配置され、前記高周波を受けて前記受信手段に供給するループ状モノポールアンテナと、
前記受信手段及び受信信号処理に係わる回路をシールドするシールド手段と、
を具備したことを特徴とする高周波受信装置。
【請求項８】
前記ループ状モノポールアンテナが、前記筐体を構成する壁内に埋め込まれていることを特徴とする請求項１乃至７のいずれかに記載の高周波受信装置。
【請求項９】
前記筐体が前面部と後部に分割され、前記ループ状モノポールアンテナが、前記前面部と後部で挟み込まれるように筐体に組み込まれていることを特徴とする請求項１乃至９のいずれかに記載の高周波受信装置。
【請求項１０】
前記ループ状モノポールアンテナが前記筐体内に配置された印刷配線基板の配線パターンとして構成されていることを特徴とする請求項１乃至９のいずれかに記載の高周波受信装置。
【請求項１１】
筐体内に配置され、高周波信号を受信し、受信した高周波信号から映像信号、音声信号あるいはデータ信号のいずれか、もしくはそれらの複数の信号を得て出力する受信手段と、
一端が前記筐体から突出するように設けられ、前記高周波を受けて前記受信手段に供給するロッドアンテナと、
前記受信手段及び受信信号処理に係わる回路をシールドするシールド手段と、
を具備したことを特徴とする高周波受信装置。
【請求項１２】
筐体内に配置され、高周波信号を受信し、受信した高周波信号から映像信号、音声信号あるいはデータ信号のいずれか、もしくはそれらの複数の信号を得て出力する受信手段と、
一端が前記筐体から突出するように設けられ、前記高周波を受けて前記受信手段及び受信信号処理に係わる回路に供給するヘリカルアンテナと、前記受信手段をシールドするシールド手段と、
を具備したことを特徴とする高周波受信装置。
【発明の詳細な説明】
【０００１】
【発明の属する技術分野】
本発明は、高周波受信装置に関し、特に地上波デジタル放送を受信するに適した携帯型の受信装置に関する。
【０００２】
【従来の技術】
２００３年から地上波テレビジョン放送のデジタル化が一部の地域で開始され、２０１０年には全ての地域でアナログ放送に取って代わってデジタル放送が行なわれる計画が推進されている。
地上波デジタル放送は、当面は一部ＶＨＦ（Ｖｅｒｙ  Ｈｉｇｈ  Ｆｒｅｑｕｅｎｃｙ）帯も使われるが、基本的にはＵＨＦ（Ｕｌｔｒａ  Ｈｉｇｈ  Ｆｒｅｑｕｅｎｃｙ）帯を用いて放送が行われることが決まっている。
デジタル放送においては、テレビジョンプログラムを構成する映像及び音声信号が送信されるばかりでなくデータも送信される。データの内容としては、放送プログラムに関連した例えばドラマの荒筋とか出演者のプロフィールとかの他、プログラムとは関係しない一週間分の地域の天気予報とか、コマーシャルで流れる製品のメーカのＵＲＬ（Ｕｎｉｆｏｒｍ  Ｒｅｓｏｕｒｃｅ  Ｌｏｃａｔｏｒ）アドレスとか、種々のものが考えられ、今後、その内容は益々多岐に亘りかつ多様性を帯びてくるものと考えられる。
【０００３】
したがって、受ける側も従前のような家庭内での受信ばかりでなく、外出時にも受信したいという要求が強くなってくるものと考えられる。
現在、市場には手のひらサイズの携帯用テレビジョン受信機が出回っているが、アナログ放送受信用のものであり、地上波デジタル放送を受信するには、必ずしも適当ではない。すなわち、デジタル放送信号は当然ながらデジタル信号であり、受信機としてはデジタル信号を処理する回路を必然的に備えているが、デジタル信号処理回路からは広い周波数帯域成分を有するノイズが発生されているため、これがアンテナから入ると、本来の放送信号がノイズの中に埋没してしまって受信不可能となる。また、デジタル信号処理以外にも、放送信号の受信に影響を与えるスプリアス発生源は存在しており、その対策も必要である。
【０００４】
市販されている携帯テレビジョン受像機は、アンテナとしてロッドアンテナを用いるのが一般であり、その他、ヘリカルアンテナを搭載した受信機も製品化されている。いずれにしても、受信機自体小型であるが故に、アンテナと受信回路との距離が短いため、内部からのノイズの影響を受け易くその対策が必要である。
【０００５】
さらにまた、持ち運び等使い勝手という点で見ると、市販されている受信機は、受信機本体からアンテナが突出しておりそれが持ち運びに邪魔になるという問題もある。
従来の、携帯用受信機を地上波デジタル放送受信用として適用した場合、以上のような問題がある。ノイズに関しては、それを改善しようとする試みは現在のところ見当たらないのが現実であるが、アンテナの問題に関しては、提案なされている。
【０００６】
例えば特許文献１には、アンテナとしてチップアンテナを用いた受信機が記載されている。この受信機では、チップアンテナが採用されているためアンテナ自体、外に突出することがないので、取り扱いという点では、改善されているが、チップアンテナの下の印刷配線基板の配線パターンとその周辺のアースパターンを除去する必要があり、実質的な実装面積が大きくなってしまうという問題がある。
【０００７】
また、携帯用受信機は、場所を移動しながら視聴するという使い方をすることがあり、場所によって受信状態が大きく変わってしまうと好ましくないため、アンテナは、指向性の強くないものの方が好ましいが、従来、その面においても、満足できる製品がなく改善が強く求められている。
【０００８】
特に、地上波デジタル放送がアナログ放送に完全に取って代わるまでは、アナログ放送と地上波デジタル放送が混在して放送されるため、地上波デジタル放送はアナログ放送に影響を与えないようにするために、その放送の出力レベルが抑えられることになっており、受信性能をいかに確保するかということは極めて重要な事項である。
【０００９】
【特許文献１】
特開平１０−２６２１９９号公報（第２頁［００１１］から第３頁［００１８］、図２〜６）
【００１０】
【発明が解決しようとする課題】
以上のように、従来の携帯用受信機は、ノイズの対策という点で改善の余地があり、使い勝手の面でもアンテナが外に突出しているために持ち運びに邪魔になって不便であり、外にアンテナを出さないようにした受信機でも、アンテナの実装面積が大きくなり、受信機が大型になって、さらに取り扱いが悪くなるという問題を有していた。
【００１１】
本発明は、以上の点に対処してなされたものであり、受信性能が優れまた使い勝手を向上させることができる構造のアンテナを備えた高周波受信装置を提供することを目的とする。
【００１２】
【課題を解決するための手段】
本発明の高周波受信装置は、筐体内に配置され、高周波信号を受信し、受信した高周波信号から映像信号、音声信号あるいはデータ信号のいずれか、もしくはそれらの複数の信号を得て出力する受信手段と、前記筐体に沿うように配置され、前記高周波を受けて前記受信手段に供給するループ状モノポールアンテナと、を具備したことを特徴とする。
【００１３】
本発明によれば、アンテナが筐体外に突出することがないため、使い勝手がよく、またモノポールアンテナが指向性が少ないため場所によって受信状態が大きく変化することがなく、良好な視聴を行うことができるものである。
また、本発明の高周波受信装置は筐体内に配置され、複数の周波数帯の高周波信号を選択受信し、受信した高周波信号から映像信号、音声信号あるいはデータ信号のいずれか、もしくはそれらの複数の信号を得て出力する受信手段と、前記筐体に沿うようにそれぞれ配置され、前記それぞれの帯域の高周波信号を受けて前記受信手段に供給する、周波数帯に対応した異なる長さを有する複数のループ状モノポールアンテナと、前記受信手段によって受信される帯域に応じて前記複数のアンテナを択一的に切換える切換手段と、を具備したことを特徴とする。
【００１４】
本発明によれば、アンテナが筐体外に突出することがないため、使い勝手がよく、またモノポールアンテナが指向性が少ないため場所によって受信状態が大きく変化することがなく、異なる周波数帯に亘ってと好な視聴を行うことができるものである。
【００１５】
また、本発明の高周波受信装置は、筐体内に配置され、高周波信号を受信し、受信した高周波信号から映像信号、音声信号あるいはデータ信号のいずれか、もしくはそれらの複数の信号を得て出力する受信手段と、前記筐体に沿うように配置され、前記高周波を受けて前記受信手段に供給するループ状モノポールアンテナと、前記受信手段及び受信信号処理に係わる回路をシールドするシールド手段と、を具備したことを特徴とする。
【００１６】
本発明によれば、受信手段及び受信手段に係る回路からのスプリアスの影響を抑制することができ、良好な受信特性を得ることができるものである。
また、本発明の高周波受信装置は、筐体内に配置され、高周波信号を受信し、受信した高周波信号から映像信号、音声信号あるいはデータ信号のいずれか、もしくはそれらの複数の信号を得て出力する受信手段と、一端が前記筐体から突出するように設けられ、前記高周波を受けて前記受信手段に供給するロッドアンテナと、前記受信手段及び受信信号処理に係わる回路をシールドするシールド手段と、を具備したことを特徴とする。
【００１７】
本発明によれば、受信手段及び受信手段に係る回路からのスプリアスの影響を抑制することができ、良好な受信特性を得ることができるものである。
さらに、本発明の高周波受信装置は、筐体内に配置され、高周波信号を受信し、受信した高周波信号から映像信号、音声信号あるいはデータ信号のいずれか、もしくはそれらの複数の信号を得て出力する受信手段と、一端が前記筐体から突出するように設けられ、前記高周波を受けて前記受信手段及び受信信号処理に係わる回路に供給するヘリカルアンテナと、前記受信手段をシールドするシールド手段と、を具備したことを特徴とする。
【００１８】
本発明によれば、受信手段及び受信手段に係る回路からのスプリアスの影響を抑制することができ、良好な受信特性を得ることができるものである。
【００１９】
【発明の実施の形態】
以下、図面を参照しながら本発明の実施の形態を詳細に説明する。
図１は、本発明の高周波受信装置１０の外観を示す斜視図である。
図１において、高周波受信装置１０は、筐体１１を有し、筐体１１は、長方体形状に整形されており、広い面積を有する２面の内一方の面が前面１２として構成され、前面１２には、開口１３が設けられ、この開口１３からその画像表示面が露出するように液晶表示パネル１４が取り付けられている。
【００２０】
さらに、前面１２には、チャンネル切換、音量調整の他、受信機の機能を切換、あるいは調整するための複数の操作ボタン１５が設けられ、さらに電源をオンオフするための操作ボタン１６も設けられている。またさらに、前面１２には、図示しないスピーカからの音を外部に導出するための複数の穴１７も設けられている。
【００２１】
筐体１１は、厚さ方向の中間位置で、前面１２と平行な面で前部筐体１１ａと後部筐体１１ｂの２つに分割され、内部には、後述するアンテナの他、受信機の電気回路部品が収容されるスペースが設けられている。
図２は前部筐体１１ａの内部を示す斜視図で、説明の便宜上、前部筐体１１ａを点線で示す。
図において、液晶表示パネル１４は、一般的な構成のもので、ドライバが設けられた枠状の印刷配線基板１８に液晶部１９が取り付けられている。
液晶表示パネルの下部には、電源ボタン１６の他各種操作ボタンが設けられた印刷配線基板２０が取り付けられ、図中その右側のスペースには、図示しないスピーカが取り付けられる。なお、印刷配線基板２０には、受信機の各回路部の制御を行うマイクロコンピュータで構成される制御手段も収容されている。
【００２２】
図３は後部筐体１１ｂの内部を示す斜視図で、説明の便宜上、後部筐体１１ｂを点線で示す。
図において、２１は受信手段が収容されたブロック部で、シールドケース２２で覆われ、印刷配線基板２３に取り付けられている。受信手段は後述するようにチャンネルの選局を行なう選局部で選局された受信信号の復調を行う復調手段と、この復調手段から供給されるトランスポートストリーム信号の処理を行って映像信号及び音声信号を出力するデジタル信号処理手段を含む。
【００２３】
後部筐体１１ｂ内には、さらに受信機１０の動作電源となる電池２４が収容されている。
ブロック部２１には、コネクタ２５が設けられ、このコネクタ２５にアンテナ２６が取り付けられている。アンテナ２６は、コネクタ２５を介して、ブロック部品２１内の選局部と接続されており、キャッチした放送電波を信号として選局部に供給する。
【００２４】
モノポールアンテナを構成するアンテナ２６は、後部筐体１１ｂの内壁に沿って延設されるもので、コネクタ２５から上部内壁に沿うように折曲され、次に、図中右側の側部内壁に沿うように折曲され、さらに底部内壁で折曲され、図中左側の側部内壁に沿うように折曲されて、先端がコネクタ２５の付近にまで到達している。
【００２５】
図４は、後部筐体１１ｂの内部を正面から見た図で、モノポールアンテナ２６が内壁に沿って配設されていることがわかる。
図５は、本発明の受信機の回路図を示すものである。
アンテナ２６は、コネクタ２５を介して選局部２７に接続され、ここで複数のチャンネルの中から所望のチャンネルが選局される。チャンネルの選局は、ユーザが操作入力部２８の操作ボタン１５を操作することで、制御部２９に信号が加えられ、制御部２９から選局部２７に選局信号が供給されることで実行される。
【００２６】
選局部２７で受信された放送信号は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ：直交周波数分割多重）復調部３０で復調され、トランスポートストリーム信号として出力される。ＯＦＤＭ復調部３０からのトランスポートストリーム信号は、デスクランブル部３１で、信号にスクランブルが掛けられていた場合には、それが解除され、ＭＰＥＧ（Ｍｏｖｉｎｇ  Ｐｉｃｔｕｒｅ  Ｅｘｐｅｒｔｓ  Ｇｒｏｕｐ）デコーダ３２に供給されて映像信号及び音声信号がそれぞれ復号され、デジタル映像／音声信号処理部３３に供給される。
【００２７】
デジタル映像／音声処理部３３では、映像信号については、グラフィックが多重される等の処理が施されて、アナログ信号に変換されて映像出力部３４に供給され、ここで映像信号にしたがって、ＬＣＤ（Ｌｉｑｕｉｄ  Ｃｒｙｓｔａｌ  Ｄｉｓｐｌａｙ）表示部３５が駆動され映像信号が表示される。また、音声信号については、音量等の調整が施された後、アナログ信号に変換されて音声出力部３６で増幅されてスピーカ３７から音声として出力される。あるいは、音声信号のまま、イヤホーンあるいはヘッドホーン端子３８から出力される。
【００２８】
デスクランブル部３１、ＭＰＥＧデコーダ３２、映像／音声信号処理部の制御も制御部２９によって行われる。
また、受信機１０の動作電源となるバッテリー２４が備えられており、そのバッテリー２４から各回路用の電源を生成するための電源回路３９が設けられ、制御部２９によって制御される。電源回路３９による電源供給のオンオフは、電源操作ボタン１６（図１参照）によって実行される。
【００２９】
以上のように構成された、回路において、ＯＦＤＭ復調部３０から映像／音声信号処理部３３の出力までは、扱う信号がデジタル信号であり、そこから発するデジタルノイズは、広範囲の周波数帯を有し、またレベルも高レベルのものであり、それがアンテナ２６から取り込まれた場合、放送信号がノイズで埋もれてしまい受信不能となってしまう。
【００３０】
このため、図に示すように、選局部２７から映像／音声信号処理部３３までをシールドケース２２で覆うようにしている。
シールドケース２２は選局部２７から映像／音声信号処理部３３までを一体的に覆うものではなく、各回路部を個別に覆うようにしてもよく、例えば選局部２７と、他の回路部を別々のシールドケースで覆うように構成してもよいものである。
図６は、アンテナ２６を他の方法で筐体１１内に配置するようにした実施の形態を示すもので、アンテナ２６の配置が異なる以外は、図４の実施の形態と同一である。
図６においては、筐体１１の後部筐体１１ｂの、前部筐体１１ａと接する部分に溝４２を設け、この溝４２内にアンテナ２６を這わせるようにしたものである。このように構成すれば、筐体１１内部にアンテナ２６が露出しておらず、筐体１１内部への印刷配線基板等他の電気部品の組み込み作業が行い易くなるものである。なお、溝４２は、前部筐体１１ａ側に設けるようにしてもよく、あるいは前部筐体１１ａと後部筐体１１ｂの両方に設けるようにしてもよい。図６において、（ａ）は正面図、（ｂ）は後部筐体１１ｂの断面図である。
【００３１】
図７は、アンテナ２６をさらに他の方法で配置するようした実施の形態を示すもので、この例では、アンテナ２６を筐体１１の壁に埋め込むようにしたものである。この場合には、アンテナ２６は、筐体の成形と同時に配置される。
図７に示す実施の形態においても、筐体１１内部にアンテナ２６が露出しておらず、筐体１１内部への、印刷配線基板等他の電気部品の組み込み作業が行い易くなるものである。図７において、（ａ）は正面図、（ｂ）は後部筐体１１ｂの断面図である。
【００３２】
図８は、アンテナを印刷配線基板２３の縁に沿って配線パターン２６ａとして構成したものである。この実施の形態でも、筐体１１内部にアンテナ２６が露出しておらず、筐体１１内部への電気部品の組み込み作業が行い易くなるものである。
図９は、アンテナの配置構造のさらに他の実施の形態を示すもので、地域によっては、地上波デジタル放送がＶＨＦの一部のチャネルを使っ実施されることになっているため、ＶＨＦのアンテナ４３とＵＨＦのアンテナ４４の両方を配置したものである。この場合、図１０に示すように、選局部４５もＵＨＦとＶＨＦの両方に対応したものであり、さらに、アンテナのコネクタ４６と、選局部４５の間に、アンテナを選択して選局部４６に接続するためのスイッチ４７が設けられている。スイッチ４７は、制御部２９によって制御されて切換えられる。
【００３３】
さらに、ＶＨＦのチャンネルの一部も受信する場合には、整合回路もそれに合わせたものにすることで、安定な受信を行うことができるようになる。図１１は、整合回路４８をスイッチ４９，５０で切換えて、アンテナ５１と選局部４５の間に接続するか、スルーさせるかを切換えるようにしている。このスイッチの制御も制御部２９によって実行される。
【００３４】
図１２は、整合回路４８として直列インダクタンス４８ａを適用した例を示すもので、ＶＨＦの低バンドの整合回路として好適である。
以上述べたように、本発明の高周波受信装置は、スプリアス発生源となる回路部分をシールドで覆うようにしたので、スプリアスの影響を受けることなく安定した受信が可能である。
また、筐体の外表面より内側、モノポールアンテナを筐体壁に沿うように、あるいは筐体壁内に配置するようにしたので、アンテナが筐体の外に突出することなく、またモノポールアンテナが指向性が強くないため、移動しながら視聴しても受信状態が大きく変動することなく、使い勝手と受信性能の両方を満足する放送受信機を得ること駕できるものである。
【００３５】
図１３は、本発明の他の実施の形態を示すものであり、この例では、アンテナとして、モノポールではなく、ロッドアンテナ５１を用いたものである。また、図１４はさらに他の実施の形態を示すもので、この例では、アンテナとして、ヘリカルアンテナ５２が用いられている。図１３，１４において、図３，４，６〜９に示す部分と同じ個所に同一符号を付して詳細な説明は省略する。
【００３６】
１３，１４の実施の形態では、アンテナ５１，５２が筐体外部に突出するが、内部回路をシールドケース２２内に収めたので内部回路から発せられるノイズをアンテナ５１，５２で拾ってしまう影響を抑えることが可能になり、受信性能を向上させることができるものである。
【００３７】
なお、以上の説明では、受信装置１０を映像表示部と音声出力部を備えたものとして説明したが、受信する信号の内容によっては、映像が関係ない場合もあり、映像表示部は必ずしも必須の構成要件ではない。
さらにまた、本発明の受信装置は、受信した信号を装置自身では利用することなく他の受信機等の機器に単に伝送するという使われ方をすることも考えられ、その場合には、音声出力部も必須ではなくなる。
以上のように、本発明の高周波受信装置によれば、地上波デジタル放送の携帯型受信機として取り扱い及び受信性能の両方を満足する装置を得ることができるものである。
【００３８】
【発明の効果】
以上のように、本発明によれば、モノポールアンテナを筐体に沿うように配置するようにし、かつスプリアスを発生する回路部分をシールドで覆うようにしたので、ノイズで受信信号が埋もれてしまうというようなことはなく、また、持ち運びし易い外形になるたるめ、携帯型受信装置として、使い勝手がよく、安定した受信性能が得られる装置を提供することができるものである。
【図面の簡単な説明】
【図１】本発明に係る、高周波受信装置の外観を示す斜視図。
【図２】図１に示す装置の内部を一方から見た斜視図。
【図３】図１に示す装置の内部を他方から見た斜視図。
【図４】図３に示す装置内部を正面から見た図。
【図５】図１に示す装置の電気回路構成を示すブロック図。
【図６】本発明の高周波受信装置の他の実施の形態を説明するための図。
【図７】本発明の高周波受信装置のさらに他の実施の形態を説明するための図。
【図８】本発明の高周波受信装置のさらに他の実施の形態を説明するための図。
【図９】本発明の高周波受信装置のさらに他の実施の形態を説明するための図。
【図１０】図９に示す実施の形態に適用される回路構成を示すブロック図。
【図１１】図９に示す実施の形態に適用される回路構成を示すブロック図。
【図１２】図９に示す実施の形態に適用される回路構成を示すブロック図。
【図１３】本発明の高周波受信装置のさらに他の実施の形態を説明するための図。
【図１４】本発明の放高周波受信装置のさらに他の実施の形態を説明するための図
【符号の説明】
１１…筐体
１２…前面
１４…液晶表示パネル
１５，１６…操作ボタン
１８，２０，２３…印刷配線基板
２１…ブロック部
２２…シールド
２４…バッテリー
２５，４５…コネクタ
２６…アンテナ
３８…イヤーホーン／ヘッドホーン端子
４２…溝
４３…ＶＨＦアンテナ
４４…ＵＨＦアンテナ
４７，４９，５０…スイッチ
【図１】
2004180209.tif 000003
【図２】
2004180209.tif 000004
【図３】
2004180209.tif 000005
【図４】
2004180209.tif 000006
【図５】
2004180209.tif 000007
【図６】
2004180209.tif 000008
【図７】
2004180209.tif 000009
【図８】
2004180209.tif 000010
【図９】
2004180209.tif 000011
【図１０】
2004180209.tif 000012
【図１１】
2004180209.tif 000013
【図１２】
2004180209.tif 000014
【図１３】
2004180209.tif 000015
【図１４】
2004180209.tif 000016